(57)【要約】  【課題】会議等を行う際に、天板を有する移動家具を複数集合させ、天板を作業台や机等として利用する際の手間を軽減する。  【解決手段】家具システムＳに、床面に載置してなり下向きの押圧面を有する静止家具Ｆと、移動可能であり前記静止家具Ｆの押圧面６ａと床面との間に配することが可能な被押圧部Ｎ２１及び天板Ｎ５を有する移動家具たるナーシングワゴンＮと、ナーシングワゴンＮの被押圧部Ｎ２１を前記静止家具Ｆの押圧面６ａと床面との間に配した際に該ナーシングワゴンＮが静止家具Ｆから離間することを規制すべく静止家具Ｆの押圧面６ａとナーシングワゴンＮの被押圧部Ｎ２１の上面Ｎ２１ａとを圧接させる圧接手段Ｐとを具備させるようにする。  【選択図】図９
2008200086.tif 000002
【特許請求の範囲】
【請求項１】
床面に載置してなり下向きの押圧面を有する静止家具と、移動可能であり前記静止家具の押圧面と床面との間に配することが可能な被押圧部及び天板を有する移動家具と、移動家具の被押圧部を前記静止家具の押圧面と床面との間に配した際に該移動家具が静止家具から離間することを規制すべく静止家具の押圧面と移動家具の被押圧部の上面とを圧接させる圧接手段とを具備することを特徴とする家具システム。
【請求項２】
前記押圧面が、床面と該押圧面との間に前記移動家具の被押圧部を配した際に弾性変形する弾性部材の外周面であって、前記圧接手段が、弾性部材が弾性変形した際に弾性力により押圧面と前記被押圧部の上面とを圧接させる構成を有することを特徴とする請求項１記載の家具システム。
【請求項３】
前記静止家具が、幅方向に延伸し外周面の一部が前記押圧面であるとともに上下方向に移動可能な横架材を有することを特徴とする請求項１又は２記載の家具システム。
【請求項４】
前記横架材が、横架材本体と、前記横架材本体を挿通してなる挿通孔を有しこの横架材本体を被覆するとともに前記押圧面を備えた被覆材とを具備するものであって、この被覆材を、弾性変形可能な弾性部材により構成していることを特徴とする請求項３記載の家具システム。
【請求項５】
前記移動家具が、キャスタと、このキャスタを底面に取り付けてなるとともに前記被押圧部を有する底部材とを具備するものであって、前記圧接手段が、前記被押圧部を床面と前記押圧面との間に配した際に、前記押圧面とこの被押圧部の上面とを圧接させる構成を有することを特徴とする請求項１、２、３又は４記載の家具システム。
【請求項６】
前記移動家具が、キャスタと、このキャスタを底面に取り付けてなるとともに前記被押圧部を有する底部材とを具備し、前記被押圧部の上面を弾性変形可能な弾性部材により構成しているものであって、前記圧接手段が、前記被押圧部を床面と前記押圧面との間に配した際に、前記弾性部材が弾性変形することにより前記押圧面と被押圧部の上面とを圧接させる構成を有することを特徴とする請求項１、２、３、４又は５記載の家具システム。
【請求項７】
前記静止家具が、内部に配線を挿通可能な配線ダクトを具備することを特徴とする請求項１、２、３、４、５又は６記載の家具システム。
【請求項８】
床面に載置してなるものであって、下向きの押圧面と、移動可能な家具に設けた被押圧部をこの押圧面と床面との間に配した際に移動家具が静止家具から離間することを規制すべく前記押圧面と前記移動可能な家具に設けた被押圧部の上面とを圧接させる圧接手段とを具備することを特徴とする家具。
【請求項９】
前記押圧面が、床面と該押圧面との間に前記移動可能な家具の被押圧部を配した際に弾性変形する弾性部材の外周面であって、前記圧接手段が、弾性部材が弾性変形した際に弾性力により押圧面と前記被押圧部の上面とを圧接させる構成を有することを特徴とする請求項８記載の家具。
【請求項１０】
幅方向に延伸し外周面の一部が前記押圧面であるとともに上下方向に移動可能な横架材を有することを特徴とする請求項８又は９記載の家具。
【請求項１１】
前記横架材が、横架材本体と、前記横架材本体を挿通してなる挿通孔を有しこの横架材本体を被覆するとともに前記押圧面を備えた被覆材とを具備するものであって、この被覆材を、弾性変形可能な弾性部材により構成していることを特徴とする請求項１０記載の家具。
【請求項１２】
内部に配線を挿通可能な配線ダクトを具備することを特徴とする請求項８、９、１０又は１１記載の家具。
【発明の詳細な説明】
【技術分野】
【０００１】
本発明は、移動家具を静止家具の押圧面に係止させてなる家具システム、及びこのような家具システムに用いられる家具に関する。
【背景技術】
【０００２】
従来より、医療施設内等では、回診車と称されるワゴンタイプの移動家具が用いられている。この回診車は、回診に必要な医療機器等を載置してなる天板と、薬剤等を収納すべく天板下に設けられる棚部材とを備えている。そして、近年では、この天板にノートパソコン等を載置し、回診時に回診車の天板を用いて立ち作業を行いやすくすべく、天板を昇降可能にしたものが考えられている（例えば特許文献１参照）。
【０００３】
また、これとは別に、複数の看護師等が集合して天板上で作業を行うことが可能な作業台が種々考えられている（例えば特許文献２参照）。
【特許文献１】特開２００５−３４６０７号公報
【特許文献２】特開２００６−９６０３３号公報
【発明の開示】
【発明が解決しようとする課題】
【０００４】
ところで、特許文献２記載の構成では、複数名の看護師等が同一の天板上で作業を行うようにしているが、回診車を静止家具の周囲に複数台集合させ、各看護師等の回診車の天板を作業空間としつつ、看護師等が集合して会合を行えるようにする要望が存在する。
【０００５】
しかし、従来の机や、前記特許文献１記載の作業台を前段の静止家具として利用する場合、移動家具と静止家具との間の位置の固定を行うには、少なくとも前記移動家具のキャスタを固定状態にする必要があり、この位置の固定に手間がかかると感じられる不具合が発生しうる。また、このような不具合は、医療施設内に限らず、天板を有する移動家具を集合させ、移動家具を机ないし作業台として利用しようとする際には同様に発生しうる。
【０００６】
本発明は、以上に述べた課題を解決すべく構成するものである。
【課題を解決するための手段】
【０００７】
すなわち本発明に係る家具システムは、床面に載置してなり下向きの押圧面を有する静止家具と、移動可能であり前記静止家具の押圧面と床面との間に配することが可能な被押圧部及び天板を有する移動家具と、移動家具の被押圧部を前記静止家具の押圧面と床面との間に配した際に該移動家具が静止家具から離間することを規制すべく静止家具の押圧面と移動家具の被押圧部の上面とを圧接させる圧接手段とを具備することを特徴とする。
【０００８】
このようなものであれば、移動家具の被押圧部を静止家具の押圧面と床面との間に配した際に圧接手段が機能し、移動家具が静止家具から離間することを規制するので、移動家具を静止家具に対して位置決めして机ないし作業台として利用することを容易に行うことができる。そして、複数の移動家具を１つの静止家具に係止させて会議等を行う態様を容易に実現することができる。なお、本発明の「床面」とは、この静止家具を屋外に設置した際の地表面を含む概念である。
【０００９】
このような効果を容易に得るための構成の一例として、前記押圧面が、床面と該押圧面との間に前記移動家具の被押圧部を配した際に弾性変形する弾性部材の外周面であって、前記圧接手段が、弾性部材が弾性変形した際に弾性力により押圧面と前記被押圧部の上面とを圧接させる構成を有するものが挙げられる。このような構成であれば、この弾性部材自体の弾性力により押圧面と前記被押圧部の上面とを圧接させることができるので、これら押圧面と前記被押圧部の上面とを圧接させるための作用を供給するための特別な部材を外部に設ける必要がない。
【００１０】
また、前記静止家具が、幅方向に延伸し外周面の一部が前記押圧面であるとともに上下方向に移動可能な横架材を有するものであれば、建築床面に不陸がある場合であっても押圧面を移動家具の被押圧部の上面に確実に当接させることができる。
【００１１】
さらに効果的に前記効果を得るための構成として、前記横架材が、横架材本体と、前記横架材本体を挿通してなる挿通孔を有しこの横架材本体を被覆するとともに前記押圧面を備えた被覆材とを具備するものであって、この被覆材を、弾性変形可能な弾性部材により構成しているものが挙げられる。このようなものであれば、移動家具の下端近傍に設けた脚部等の部位を被押圧部として前記押圧面を有する被覆材と床面との間に配することにより、被押圧部の上面と前記押圧部とを効果的に圧接させることができるからである。
【００１２】
また、このような家具システムに好適に用いることができる移動家具の構成として、前記移動家具が、キャスタと、このキャスタを底面に取り付けてなるとともに前記被押圧部を有する底部材とを具備するものであって、前記圧接手段が、前記被押圧部を床面と前記押圧面との間に配した際に、前記押圧面とこの被押圧部の上面とを圧接させる構成を有するものが挙げられる。
【００１３】
さらに、上述した本発明の主な効果を好適に得ることができる別の構成として、前記移動家具が、キャスタと、このキャスタを底面に取り付けてなるとともに前記被押圧部を有する底部材とを具備し、前記被押圧部の上面を弾性変形可能な弾性部材により構成しているものであって、前記圧接手段が、前記被押圧部を床面と前記押圧面との間に配した際に、前記弾性部材が弾性変形することにより前記押圧面と被押圧部の上面とを圧接させる構成を有するものが挙げられる。
【００１４】
そして、前記静止家具が、内部に配線を挿通可能な配線挿通空間を有する配線ダクトを具備するものであれば、移動家具の天板にノートパソコン等の機器を載置して利用する際に、このような機器の電源等を供給するための配線をこの配線ダクト内に配置することができる。
【００１５】
一方、本発明に係る家具システムの静止家具として好適に用いられる家具として、床面に載置してなるものであって、下向きの押圧面と、移動可能な家具に設けた被押圧部をこの押圧面と床面との間に配した際に移動家具が静止家具から離間することを規制すべく前記押圧面と前記移動可能な家具に設けた被押圧部の上面とを圧接させる圧接手段とを具備することを特徴とするものが挙げられる。
【００１６】
このようなものであれば、従来広く用いられるナーシングカート等の移動家具の一部位を押圧面の下方に配することにより、前記圧接手段を機能させ、この家具に対する移動家具の位置決めを行うことができる。
【発明の効果】
【００１７】
本発明に係る家具システムの構成によれば、移動家具の被押圧部を静止家具の押圧面と建築床面との間に配した際に押圧手段が機能し、移動家具が静止家具から離間することを規制するので、移動家具を静止家具に対して位置決めして机ないし作業台として利用することを容易に行うことができる。
【発明を実施するための最良の形態】
【００１８】
以下、本発明の一実施の形態について図面を参照して説明する。
【００１９】
本実施形態に係る家具システムＳは、図１に斜視図、図２に側面図をそれぞれ示すように、静止家具Ｆと、この静止家具Ｆとともに用いられる移動家具たるナーシングカートＮとを具備する。
【００２０】
前記静止家具Ｆは、前記図１及び図２に示すように、また、図３に平面図、図４に正面図をそれぞれ示すように、左右一対に設けられる支柱１、１と、これら支柱１、１の間に設けられる補助支柱２と、前記支柱１、１の上端間、より具体的には一方の支柱１と補助支柱２との間及び補助支柱２と他方の支柱１との間に設けられる配線ダクト３と、この配線ダクト３の下方に設けられるパネル要素４と、このパネル要素４の下方かつ前記支柱１、１の下端近傍部間、より具体的には一方の支柱１と補助支柱２との間及び補助支柱２と他方の支柱１との間に前後に対をなして設けられる横架材５、５と、前後の横架材５、５間に設けられる腰板７とを具備する。
【００２１】
前記支柱１は、前記図１、図２、及び図４に示すように、前後方向に延伸し床面に設置させてなるベース部１１と、このベース部１１から起立させてなる支柱本体１２とを具備する。前記ベース部１１には、床面の不陸に対応させるべく下端にアジャスタ１１１を設けている。一方、前記支柱本体１２には、その外側面に側板１３を取り付け可能にしている。加えて、この支柱１には、前記横架材５及び腰板７を取り付けるためのブラケット１４を下端近傍に設けている。
【００２２】
前記補助支柱２も、前記図１、前記図２、及び前記図４に示すように、また、この補助支柱２の側面図を図５に示すように、前後方向に延伸し床面に設置させてなるベース部２１と、このベース部２１から起立させてなる補助支柱本体２２とを具備する。前記ベース部２１には、床面の不陸に対応させるべく下端にアジャスタ２１１を設けている。そして、この補助支柱２にも、前記横架材５及び腰板７を取り付けるためのブラケット２４を下端近傍に設けている。
【００２３】
前記配線ダクト３は、前記図１〜図４に示すように、その内部に配線挿通空間３ｓを有し、この配線挿通空間３ｓの上半部の前後両端を区画する上外枠３１と、この配線挿通空間３ｓの下半部の前後両端を区画する下外枠３２と、この配線挿通空間３ｓの底面を構成する底枠３３とを具備する。前記下外枠３２は、後述するパネル要素４に蝶番３２１を介して接続していて、配線挿通空間３ｓの下半部を被覆する閉止位置と、配線挿通空間３ｓの下半部を外部空間に連通させる開成位置とを選択的にとりうる。また、前記上外枠３１には、電源コンセントを取り付け可能なコンセント取付口３１ｓを設けている。
【００２４】
前記パネル要素４は、前記図１〜図４に示すように、支柱１、１及び補助支柱２の前後両面にそれぞれ取り付けてなる板状の部材である。
【００２５】
前記横架材５は、前記図１、前記図２、及び前記図４に示すように、円柱パイプ状をなして幅方向に延伸する横架材本体５０と、この横架材本体５０を被覆する被覆材６とを具備し、上述したように、一方の支柱１の下端近傍の前記ブラケット１４と補助支柱２の下端近傍の前記ブラケット２４との間、及び補助支柱２の下端近傍の前記ブラケット２４と他方の支柱１の下端近傍の前記ブラケット１４との間に横架させて設けている。また、この横架材５の両端部には、この横架材５の取付態様を示す図である図８に示すように、この横架材５に挿通させてなりこの横架材５よりも小さな径を有する固定部５１１と、この横架材５の外部に位置し前記取付部５１１よりも大きな径を有する頭部５１２とを具備する取付部材５１を取り付けるようにしている。そして、前記支柱１のブラケット１４に設けた長孔１４ｘ、及び前記補助支柱２のブラケット２４に設けた長孔（図示略）に、この取付部材５１の固定部５１１を係合させ、支柱１と補助支柱２との間にこの横架材５を横架させた状態で取り付けるようにしている。すなわち、この横架材５は、支持構造体たる前記支柱１及び前記補助支柱２に、上下移動可能に支持させている。
【００２６】
前記被覆材６は、前記横架材本体５０を被覆する樹脂製部材であり、図４におけるｘ−ｘ断面のうち横架材近傍を拡大して示すとともに、該横架材に当接させたナーシングカートの底版を併せて示す図である図９に示すように、横断面視中心部に前記横架材本体５０を挿通させてなる。より具体的には、横断面視中心部に前記横架材本体５０を挿通させてなる内パイプ６１と、この内パイプ６１の外側に位置する外パイプ６２と、これら内パイプ６１と外パイプ６２とを接続すべく径方向に延伸するリブ６３とを具備する。外パイプ６２の外周面の下端近傍部を押圧面６ａとしていて、この押圧面６ａと床面との間にナーシングカートＮの一部、具体的には底版Ｎ２の被押圧部Ｎ２１が達した際に、この被押圧部Ｎ２１の上面Ｎ２１ａにこの押圧面６ａが当接した状態で主に前記外パイプ６２及びリブ６３が弾性変形し、弾性力によりこの押圧面６ａを前記被押圧部Ｎ２１の上面Ｎ２１ａに圧接させることにより、前記ナーシングカートＮの静止家具Ｆからの離間を規制している。すなわち、この被覆材６が前記横架材本体５０に支持されつつ弾性変形するとにより、この横架材５が請求項中の圧接手段Ｐとして機能する。また、上述したように前記横架材５の両端に設けた取付部材５１は、前記支柱１のブラケット１４に設けた長孔１４ｘ、又は補助支柱２のブラケット２４に設けた長孔（図示略）に挿通させているので、前記横架材５は、上下方向に移動可能である。なお、横架材５は、その上方にカバー板８を載置して上方空間から被覆可能にしている。このカバー板８は、前記ブラケット１４、２４の上端間を接続する板状をなす。
【００２７】
前記腰板７は、前記図１〜図４、及び図８に示すように、また、上述したように、一方の支柱１の下端近傍の前記ブラケット１４と補助支柱２の下端近傍の前記ブラケット２４との間、及び補助支柱２の下端近傍の前記ブラケット２４と他方の支柱１の下端近傍の前記ブラケット１４との間に横架させて設けていて、この静止家具の幅方向に延伸する板状の部材である。この腰板７には、前記ナーシングカートＮの前端を当接可能にしている。そして、この腰板７に前記ナーシングカートＮの前端を当接させた際に、このナーシングカートＮの被当接部が前記被覆材６の当接面６ａと床面との間に位置させることにより、前記圧接手段Ｐを機能させるようにしている。なお、この被覆材６の幅寸法は、ナーシングカートＮの幅寸法に略一致させていて、前記横架材本体５０に複数の被覆材６を間欠的に設けるようにしている。
【００２８】
一方、前記ナーシングカートＮは、医療施設内等で用いられるナーシングカートとして周知のものと同様の構成を有する。すなわち、前記図１及び前記図２に示すように、また、このナーシングカートＮの正面図を図６、側面図を図７にそれぞれ示すように、キャスタＮ１と、下面に前記キャスタＮ１を取り付けてなる底版Ｎ２と、この底版Ｎ２の後部から起立させてなる後支柱Ｎ３、Ｎ３と、前記底版Ｎ２の前部から起立させてなる前支柱Ｎ４と、この前支柱Ｎ４に昇降可能に支持させてなる天板Ｎ５と、この天板Ｎ５下方の空間に配してなり前記前支柱Ｎ４及び後支柱Ｎ３、Ｎ３に支持させてなる棚部材Ｎ６と、前記後支柱Ｎ３、Ｎ３の上端に設けてなる把持部Ｎ７とを具備する。
【００２９】
ここで、本実施形態では、前記前支柱Ｎ４を、前記底版Ｎ２の前端から所定距離後方に変位させて設けていて、この前支柱Ｎ４と前記底版Ｎ２の前端との間の部位を被当接部Ｎ２１としている。そして、上述したように、この被当接部Ｎ２１を静止家具Ｆの被覆材６の外周面の下端近傍すなわち当接面６ａと床面との間に配した際に、前記被覆材６の弾性変形に伴う弾性力によりこの被当接部Ｎ２１の上面Ｎ２１ａと前記当接面６ａと圧接させることを可能にしている。
【００３０】
本実施形態に係る家具システムＳは、以上に述べたように、床面に載置してなり下向きの押圧面６ａを有する静止家具Ｆと、移動可能であり前記静止家具Ｆの押圧面６ａと床面との間に配することが可能な被押圧部Ｎ２１及び天板Ｎ５を有するナーシングカートＮと、ナーシングカートＮの被押圧部Ｎ２１を前記静止家具Ｆの押圧面６ａと床面との間に配した際にナーシングカートＮが静止家具Ｆから離間することを規制すべく静止家具Ｆの押圧面６ａとナーシングカートＮの被押圧部Ｎ２１の上面Ｎ２１ａとを圧接させる圧接手段Ｐとを具備する。従って、前記被押圧部Ｎ２１を静止家具Ｆの押圧面６ａと床面との間に配した際に圧接手段Ｐが機能し、ナーシングカートＮが静止家具Ｆから離間することを規制するので、ナーシングカートＮを静止家具Ｆに対して位置決めして机ないし作業台として利用するとともに、複数のナーシングカートＮを１つの静止家具Ｆに係止させて会議等を行う態様を容易に実施することができる。
【００３１】
また、前記押圧面６ａが、床面と該押圧面６ａとの間に前記ナーシングカートＮの被押圧部Ｎ２１を配した際に弾性変形する被覆材６の外周面であって、被覆材６が弾性変形した際に弾性力により押圧面６ａと前記被押圧部Ｎ２１の上面Ｎ２１ａとを圧接させる構成を前記圧接手段Ｐが有するので、この被覆材６自体の弾性力により押圧面６ａと前記被押圧部Ｎ２１の上面Ｎ２１ａとを圧接させることができる。従って、これら押圧面６ａと前記被押圧部Ｎ２１の上面Ｎ２１ａとを圧接させるための作用を供給するための特別な部材を外部に設ける必要がない。
【００３２】
さらに、前記静止家具Ｆが、幅寸法に延伸させて下端近傍に設けた横架材５を有し、この横架材５の外周面の一部、より具体的には前記被覆材６の外周面の一部を前記押圧面６ａとしているとともに、上述したように前記横架材５の両端に設けた取付部材５１を、前記支柱１のブラケット１４に設けた長孔１４ｘ、又は補助支柱２のブラケット２４に設けた長孔（図示略）に挿通させ、この横架材５を上下方向に移動可能にしているので、床面に不陸がある場合であっても、この横架材５の一部である押圧面６ａもまた上下方向に移動可能に移動可能であり、この押圧面６ａをナーシングカートＮの被押圧部Ｎ２１の上面Ｎ２１ａに確実に当接させることができる。
【００３３】
また、前記横架材５が、横架材本体５０と、前記横架材本体５０を挿通してなる挿通孔６ｘを有しこの横架材本体５０を被覆するとともに前記押圧面６ａを備えた被覆材６とを具備し、この被覆材６を、弾性変形可能な弾性部材により構成しているので、ナーシングカートＮの下端近傍に設けた底版Ｎ２に設定した被押圧部Ｎ２１を、前記押圧面６ａを有する被覆材６と床面との間に配することにより、被押圧部Ｎ２１の上面Ｎ２１ａと前記押圧面６ａとを効果的に圧接させることができる。
【００３４】
一方、前記ナーシングカートＮが、キャスタＮ１と、このキャスタＮ１を底面に取り付けてなるとともに前記被押圧部Ｎ２１を有する底部材たる底版Ｎ２とを具備するとともに、前記圧接手段Ｐが、前記被押圧部Ｎ２１を床面と前記押圧面６ａとの間に配した際に、前記押圧面６ａとこの被押圧部Ｎ２１の上面Ｎ２１ａとを圧接させる構成を有するので、床面と前記押圧面６ａとを接近させ、より効果的にこれら床面と前記押圧面６ａとにより前記被押圧部を挟持できる。
【００３５】
そして、前記静止家具Ｆが、内部に配線を挿通可能な配線挿通空間３ｓを有する配線ダクト３を具備するので、この静止家具Ｆ近傍にナーシングカートＮを集合させるとともにナーシングカートＮの天板Ｎ５にノートパソコン等の機器を載置して利用する際に、このような機器の電源等を供給するための配線をこの配線ダクト３内に配置し、この家具システムＳを複数人用の作業台としてより好適に使用できる。
【００３６】
なお、本発明は以上に述べた実施形態に限られない。
【００３７】
例えば、静止家具の被覆材を省略し、ナーシングカートの前端部すなわち被当接部の上面を、弾性変形可能な部材で構成した弾性部材により構成するようにしてもよい。すなわち、この弾性部材を、被当接部の上面と静止家具側の当接面とを圧接させる圧接手段としてもよい。
【００３８】
また、静止家具の被覆材を省略し、横架材を下方に付勢すべくバネを利用した付勢手段を設け、この付勢手段を圧接手段としてもよい。さらに、横架材の自重により横架材の当接面と移動家具の被当接部の上面とを圧接させるようにする、すなわち昇降可能な横架材により圧接手段を形成してもよい。
【００３９】
さらに、圧接手段として、以下に述べる構成を採用してもよい。すなわち、移動家具の被押圧部を静止家具の押圧面と床面との間に配した際に、移動家具に設けたキャスタが弾性変形し、この弾性変形に伴い発生する弾性力により移動家具の被押圧部が押圧面を上方に押圧するようにしてこの被押圧部の上面と押圧面とを圧接するようにしてもよい。
【００４０】
加えて、上述した実施形態において、支柱１のブラケット１４及び被覆材６を以下のように構成してもよい。すなわち、上述した実施形態における図９に対応する図を図１０に示すように、被覆材６の横断面視中心部に前記横架材５を挿通させてなる長孔６ｘを設けるようにするとともに、横架材５は前記ブラケット１４に固着するようにしてもよい。
【００４１】
さらに、圧接手段の構成は以上に述べたものに限らない。すなわち、静止家具側の下向き当接面の位置は、下端近傍に設けた横架材に限らず、静止家具のどこに設けてもよい。
【００４２】
そして、本発明に係る家具システムは、医療施設内に限らず、天板を有し移動可能な家具である移動家具と、この移動家具に設けた被押圧部の上面と圧接可能な圧接面を有する静止家具と、前記移動家具の被押圧部を前記静止家具の押圧面と床面との間に配した際に該移動家具が静止家具から離間することを規制すべく静止家具の押圧面と移動家具の被押圧部の上面とを圧接させる圧接手段とを具備する構成であればよい。
【００４３】
その他、本発明の趣旨を逸脱しない範囲で種々変形が可能である。
【図面の簡単な説明】
【００４４】
【図１】本発明の一実施形態に係る家具システムを示す斜視図。
【図２】同実施形態に係る家具システムを示す側面図。
【図３】同実施形態に係る家具システムの静止家具を示す正面図。
【図４】同実施形態に係る家具システムの静止家具を示す平面図。
【図５】同実施形態に係る家具システムの静止家具の補助支柱を示す側面図。
【図６】同実施形態に係る家具システムのナーシングカートを示す正面図。
【図７】同実施形態に係る家具システムのナーシングカートを示す側面図。
【図８】同実施形態に係る家具システムの静止家具の横架材及び被覆材の取付態様を示す図。
【図９】図４におけるｘ−ｘ断面のうち横架材近傍を拡大して示すとともに、該横架材に当接させたナーシングカートの底版を併せて示す図。
【図１０】本発明の他の実施形態に係る前記図９に対応する図。
【符号の説明】
【００４５】
Ｓ…家具システム
Ｆ…静止家具
５…横架材
６…被覆材（弾性部材）
６ａ…押圧面
Ｎ…ナーシングワゴン（移動家具）
Ｎ２１…被押圧部
Ｎ２１ａ…被押圧部の上面
Ｐ…圧接手段
【図１】
2008200086.tif 000003
【図２】
2008200086.tif 000004
【図３】
2008200086.tif 000005
【図４】
2008200086.tif 000006
【図５】
2008200086.tif 000007
【図６】
2008200086.tif 000008
【図７】
2008200086.tif 000009
【図８】
2008200086.tif 000010
【図９】
2008200086.tif 000011
【図１０】
2008200086.tif 000012